(57)【要約】【課題】エキスパンションジョイントカバーが躯体上の壁や柱等に衝突することを防止することができる装置を提供する。【解決手段】エキスパンションジョイントカバー６を免震構造物１に連結する連結装置７は、免震クリアランス３の長手方向に延在するスライドレール部材８と、スライドレール部材８に往復動可能に取り付けられたスイングレール部材９を有する。エキスパンションジョイントカバー６の連結端部６ａはスイングレール部材９に連結され、スライドレール部材８に沿って免震クリアランス３の長手方向に往復動可能である。スイングレール部材９にはエキスパンションジョイントカバー６の連結端部６ａに対向して上下方向に弧状に延在する凸状曲面９ｄを形成し、エキスパンションジョイントカバー６の自由端部６ｂが上下方向に移動するとき、連結端部６ａの端面６ｃは凸状曲面９ｄに沿って滑らかに傾動する。【選択図】図３
2018141269.tif 000002
【特許請求の範囲】
【請求項１】
免震構造物の免震クリアランスに架け渡されたエキスパンションジョイントカバーによって、前記免震構造物を別の構造物に連続させる、免震エキスパンションジョイント装置において、前記エキスパンションジョイントカバーは、前記両構造物のうちの一方の構造物に支持される連結端部と、前記両構造物のうちの他方の構造物に支持される自由端部を有し、前記一方の構造物に前記免震クリアランスの長手方向に延在するスライドレール部材を取り付け、前記スライドレール部材に前記免震クリアランスの長手方向に往復動可能にスイングレール部材を取り付け、前記エキスパンションジョイントカバーが前記他方の構造物に関して前記免震クリアランスの長手方向に移動することを妨げられたときに、前記エキスパンションジョイントカバーが前記一方の構造物に関して前記免震クリアランスの長手方向に移動するように、前記エキスパンションジョイントカバーの前記連結端部を前記スイングレール部材に連結し、前記スイングレール部材には、前記エキスパンションジョイントカバーの前記連結端部の端面に向かって突出し、かつ、上下方向に弧状に延在する、凸状曲面を形成し、前記エキスパンションジョイントカバーの前記自由端部が上下動したときに、前記エキスパンションジョイントカバーの前記連結端部の前記端面が前記スイングレール部材の前記凸状曲面に沿って傾動するように、前記エキスパンションジョイントカバーを前記スイングレール部材に連結したことを特徴とする、免震エキスパンションジョイント装置。
【請求項２】
請求項１に記載の免震エキスパンションジョイント装置において、前記スライドレール部材の下縁部に前記免震クリアランスの長手方向に延在する案内溝を形成し、前記スイングレール部材を前記案内溝に摺動可能に係合させ、前記スライドレール部材の上縁部を前記エキスパンションジョイントカバーの前記連結端部の前記端面に向かって屈曲させることによって、前記スライドレール部材と前記エキスパンションジョイントカバーの前記連結端部の前記端面の間の間隙を減少させたことを特徴とする、前記免震エキスパンションジョイント装置。
【請求項３】
請求項２に記載の免震エキスパンションジョイント装置において、前記エキスパンションジョイントカバーの前記連結端部の前記端面に向かって屈曲させた前記スライドレール部材の前記上縁部を、更に、前記スイングレール部材の前面に沿って下方に屈曲させることによって、前記スライドレール部材の前記上縁部に前記案内溝に対向する係合溝を形成し、前記スイングレール部材を前記案内溝と前記係合溝に摺動可能に係合させたことを特徴とする、前記免震エキスパンションジョイント装置。
【請求項４】
請求項１に記載の免震エキスパンションジョイント装置において、前記スライドレール部材の下縁部に前記免震クリアランスの長手方向に延在する案内溝を形成し、前記スイングレール部材を前記案内溝に摺動可能に係合させ、前記スライドレール部材の上縁部を、前記エキスパンションジョイントカバーの前記連結端部の前記端面に向かって屈曲させ、更に、前記スイングレール部材の背面に沿って下方に屈曲させることによって、前記スライドレール部材の前記上縁部にコ字状の屈曲部を形成し、前記コ字状の屈曲部によって前記スライドレール部材の前記上縁部と前記スイングレール部材の前記背面の間の間隙を減少させ、前記スイングレール部材の前面の上縁部と前記エキスパンションジョイントカバーの前記連結端部の前記端面との間隙を可撓性部材で密封したことを特徴とする、前記免震エキスパンションジョイント装置。
【請求項５】
請求項１に記載の免震エキスパンションジョイント装置において、前記スライドレール部材の下縁部に前記免震クリアランスの長手方向に延在する案内溝を形成し、前記スイングレール部材を前記案内溝に摺動可能に係合させ、前記スライドレール部材の上縁部を、前記スイングレール部材の背面に向かって屈曲させ、更に、前記スイングレール部材の背面に沿って上方に屈曲させることによって、前記スライドレール部材の前記上縁部に肩状の屈曲部を形成し、前記肩状の屈曲部によって前記スライドレール部材の前記上縁部と前記スイングレール部材の前記背面の間の間隙を減少させ、前記スイングレール部材の前面の上縁部と前記エキスパンションジョイントカバーの前記連結端部の前記端面との間隙を可撓性部材で密封したことを特徴とする、前記免震エキスパンションジョイント装置。
【請求項６】
請求項５に記載の免震エキスパンションジョイント装置において、前記スライドレール部材の内部にスペーサを固定し、前記スペーサの頂部に前記免震クリアランスの長手方向に延在する突条を形成し、前記スイングレール部材の背面に前記免震クリアランスの長手方向に延在する凹溝を形成し、前記凹溝を前記突条に摺動可能に係合させたことを特徴とする、前記免震エキスパンションジョイント装置。
【請求項７】
請求項１乃至６のうちのいずれか一項に記載の免震エキスパンションジョイント装置において、前記エキスパンションジョイントカバーの前記連結端部の前記端面と前記スイングレール部材の前記凸状曲面にそれぞれ上下方向に延びる長孔を開口させ、前記端面の長孔と前記凸状曲面の長孔に連結部材を挿通し、前記連結部材によって前記エキスパンションジョイントカバーの前記連結端部を前記スイングレール部材に連結したことを特徴とする、前記免震エキスパンションジョイント装置。
【請求項８】
請求項１乃至７のうちのいずれか一項に記載の免震エキスパンションジョイント装置において、隣接して配置された複数の前記エキスパンションジョイントカバーを共通の前記スイングレール部材に連結したことを特徴とする、前記免震エキスパンションジョイント装置。
【請求項９】
請求項１に記載の免震エキスパンションジョイント装置において、前記両構造体が前記免震クリアランスの幅を減少させる方向に所定の距離を超えて相対移動したときに、前記エキスパンションジョイントカバーの前記自由端部を上方へせり上げる傾斜面を前記他方の構造物に形成したことを特徴とする、前記免震エキスパンションジョイント装置。
【発明の詳細な説明】
【技術分野】
【０００１】
本発明は、免震構造物の免震クリアランスに架け渡されたエキスパンションジョイントカバーによって、前記免震構造物を別の構造物に連続させる、免震エキスパンションジョイント装置に関するものである。
【背景技術】
【０００２】
免震構造物の免震クリアランスに架け渡されたエキスパンションジョイントカバーは、免震構造物を免震クリアランスによって隔てられた別の構造物に連続させ、両構造物の間に車路や歩行路等を形成する。エキスパンションジョイントカバーは一方の構造物に連結される連結端部と他方の構造物に支持される自由端部を有する。
【０００３】
特許文献１には、第１の建築物３と第２の建築物４の間の隙間８に矩形状の床板２を架け渡した床エキスパンションジョイント１が開示されている。床板２の前端部は第２の建築物４に載置され、床板２の後端部は、床板２の水平方向への移動を許容するスライド機構と床板２の前端部を上下方向に回動可能にするヒンジ機構とを有する連結手段によって、第１の建築物３に連結される。この連結手段は、第１の建築物３の側面３１に設けられた四つの固定具３２に溶接等によって断面円形の軸部材５を取付け、床板２に設けられた三つの支持部材２４のすべての円形穴２５に軸部材５を貫通させ、支持部材２４を軸部材５の軸方向に摺動可能にすると共に、軸部材５の周面を回動可能にすることによって構成される。これにより、床エキスパンションジョイント１は、建築物３、４が軸部材５の軸方向にずれる場合にも、建築物３，４が隙間８の幅方向にずれる場合にも、建築物３，４が床板２の厚さ方向にずれる場合にも対応可能である。
【０００４】
特許文献２には、図１３乃至１６を参照して、エキスパンションジョイント床部材９を有する免震エキスパンションジョイント床が開示されている。エキスパンションジョイント床部材９は、免震構造物１の躯体５の上面に凹設されたエキスパンションジョイント支持部７と、非免震構造物２の躯体６の上面に凹設されたエキスパンションジョイント支持部８との間に、クリアランスＣを跨いで架設される。エキスパンションジョイント支持部７にはスライドレール４２が設けられ、スライドレール４２にはガイドプレート４３が装着される。エキスパンション床部材９は、スプリング付きボルト４１を介して、ガイドプレート４３に連結され、ボルト４１のスプリングによって免震構造物１に向かって付勢されている。エキスパンション床部材９は、図１６に示すように、回動可能であり、エキスパンションジョイント支持部７には、エキスパンション床部材９が円滑に回動するように滑り材４７が設けられている。エキスパンション床部材９はガイドプレート４３と共にスライドレール４２に沿って横方向にスライドすることもできる。
【先行技術文献】
【特許文献】
【０００５】
【特許文献１】特許第５４１８９４０号公報
【特許文献２】特許第５４２７９４１号公報
【発明の概要】
【発明が解決しようとする課題】
【０００６】
免震構造物は、地震波によって、免震クリアランスの幅方向に相対的に移動する場合のみならず（以下、この移動方向をＸ方向という。）、免震クリアランスの長手方向に相対的に移動する場合がある（以下、この移動方向をＹ方向という。）。免震構造物がＹ方向に相対的に移動するとき、免震構造物のＹ方向の免震ストローク範囲内に免震構造物から構造的に分断された別の構造物の壁や柱等があると、免震構造物に連結されたエキスパンションジョイントカバーがこれらの障害物に衝突し、免震機能が失われたり、エキスパンションジョイントカバーが破損したりする虞がある。
【０００７】
また、免震構造物が、地震波によって、免震クリアランスの幅方向（Ｘ方向）に相対的に移動するとき、エキスパンションジョイントカバーの自由端部が、免震クリアランスによって隔てられた別の構造物の傾斜面に沿ってせり上がることがある。このとき、エキスパンションジョイントカバーは、免震構造物との連結端部付近を中心にして、上下方向に回動する（以下、この回動方向をＺ方向という。）。エキスパンションジョイントカバーのＺ方向への回動が阻害されると、免震構造物の免震機能が害される虞がある。
【０００８】
また、エキスパンションジョイントカバーの連結端部と構造物の間の目地幅が大きいと、小石や木の葉等が目地に挟まり、地震発生時に、エキスパンションジョイントカバーの動きが妨げられる虞がある。
【０００９】
また、構造物とエキスパンションジョイントカバーの連結強度が不足していると、地震波によって、エキスパンションジョイントカバーが外れる虞がある。
【００１０】
更に、エキスパンションジョイントカバーはその耐荷重強度に応じて種々の厚さを有する。そこで、種々の厚さのエキスパンションジョイントカバーを使用することが可能であり、施工が容易な免震エキスパンションジョイント装置が求められている。
【００１１】
本発明の目的は、エキスパンションジョイントカバーを免震クリアランスの幅方向（Ｘ方向）のみならず、免震クリアランスの長手方向（Ｙ方向）にも相対的に移動させることができると共に、エキスパンションジョイントカバーの自由端が上下方向（Ｚ方向）に移動するとき、エキスパンションジョイントカバーを滑らかに傾動させることができる、免震エキスパンションジョイント装置を提供することにある。
本発明の他の目的は、エキスパンションジョイントカバーの連結端部と構造物の間の目地幅を容易に調整することができる、免震エキスパンションジョイント装置を提供することにある。
本発明の更に他の目的は、エキスパンションジョイントカバーと構造物の間に十分な連結強度を付与することができる、免震エキスパンションジョイント装置を提供することにある。
本発明の更に他の目的は、厚さの異なるエキスパンションジョイントカバーを使用することができる、免震エキスパンションジョイント装置を提供することにある。
本発明の更に他の目的は、施工が容易な免震エキスパンションジョイント装置を提供することにある。
【課題を解決するための手段】
【００１２】
本発明の免震エキスパンションジョイント装置は、免震構造物１の免震クリアランス３に架け渡されたエキスパンションジョイントカバー６によって、免震構造物１を別の構造物２に連続させる、免震エキスパンションジョイント装置５において、エキスパンションジョイントカバー６は、前記両構造物１、２のうちの一方の構造物に支持される連結端部６ａと、前記両構造物１、２のうちの他方の構造物に支持される自由端部６ｂを有し、前記一方の構造物に免震クリアランス３の長手方向（Ｙ方向）に延在するスライドレール部材８を取り付け、スライドレール部材８に免震クリアランス３の長手方向（Ｙ方向）に往復動可能にスイングレール部材９を取り付ける。これにより、エキスパンションジョイントカバー６が前記他方の構造物に関して免震クリアランス３の長手方向（Ｙ方向）に移動することを妨げられたときには、エキスパンションジョイントカバー６が前記一方の構造物に関して免震クリアランス３の長手方向（Ｙ方向）に移動するように、エキスパンションジョイントカバー６の連結端部６ａをスイングレール部材９に連結することができる。また、スイングレール部材９に、エキスパンションジョイントカバー６の連結端部６ａの端面６ｃに向かって突出し、かつ、上下方向に弧状に延在する、凸状曲面９ｄを形成し、エキスパンションジョイントカバー６の自由端部６ｂが上下動したときには、エキスパンションジョイントカバー６の連結端部６ａの端面６ｃがスイングレール部材９の凸状曲面９ｄに沿って傾動するように、エキスパンションジョイントカバー６をスイングレール部材９に連結することを特徴とする。
【００１３】
また、本発明の免震エキスパンションジョイント装置５は、スライドレール部材８の下縁部８ｂに免震クリアランス３の長手方向（Ｙ方向）に延在する案内溝８ｃを形成し、スイングレール部材９を案内溝８ｃに摺動可能に係合させ、スライドレール部材８の上縁部８ｄをエキスパンションジョイントカバー６の連結端部６ａの端面６ｃに向かって屈曲させることによって、スライドレール部材８とエキスパンションジョイントカバー６の連結端部６ａの端面６ｃの間の間隙を減少させたことを特徴とする。
【００１４】
また、本発明の免震エキスパンションジョイント装置５は、エキスパンションジョイントカバー６の連結端部６ａの端面６ｃに向かって屈曲させたスライドレール部材８の上縁部８ｄを、更に、スイングレール部材９の前面に沿って下方に屈曲させることによって、スライドレール部材８の上縁部８ｄに案内溝８ｃに対向する係合溝８ｅを形成し、スイングレール部材９を案内溝８ｃと係合溝８ｅに摺動可能に係合させたことを特徴とする。
【００１５】
また、本発明の免震エキスパンションジョイント装置５は、スライドレール部材８の下縁部８ｂに免震クリアランス３の長手方向（Ｙ方向）に延在する案内溝８ｃを形成し、スイングレール部材９を案内溝８ｃに摺動可能に係合させ、スライドレール部材８の上縁部８ｄを、エキスパンションジョイントカバー６の連結端部６ａの端面６ｃに向かって屈曲させ、更に、スイングレール部材９の背面に沿って下方に屈曲させることによって、スライドレール部材８の上縁部８ｄにコ字状の屈曲部８ｆを形成し、コ字状の屈曲部８ｆによってスライドレール部材８の上縁部８ｄとスイングレール部材９の背面の間の間隙を減少させ、スイングレール部材９の前面の上縁部９ｃとエキスパンションジョイントカバー６の連結端部６ａの端面６ｃとの間隙を可撓性部材２４で密封したことを特徴とする。
【００１６】
また、本発明の免震エキスパンションジョイント装置５は、スライドレール部材８の下縁部８ｂに免震クリアランス３の長手方向（Ｙ方向）に延在する案内溝８ｃを形成し、スイングレール部材９を案内溝８ｃに摺動可能に係合させ、スライドレール部材８の上縁部８ｄを、スイングレール部材９の背面に向かって屈曲させ、更に、スイングレール部材９の背面に沿って上方に屈曲させることによって、スライドレール部材８の上縁部８ｄに肩状の屈曲部８ｇを形成し、肩状の屈曲部８ｇによってスライドレール部材８の上縁部８ｄとスイングレール部材９の背面の間の間隙を減少させ、スイングレール部材９の前面の上縁部８ｄとエキスパンションジョイントカバー６の連結端部６ａの端面６ｃとの間隙を可撓性部材２４で密封したことを特徴とする。
【００１７】
本発明の免震エキスパンションジョイント装置５は、また、スライドレール部材８の内部にスペーサ３９を固定し、スペーサ３９の頂部に免震クリアランス３の長手方向（Ｙ方向）に延在する突条３９ａを形成し、スイングレール部材９の背面に免震クリアランス３の長手方向（Ｙ方向）に延在する凹溝９ｅを形成し、凹溝９ｅを突条３９ａに摺動可能に係合させたことを特徴とする。
【発明の効果】
【００１８】
本発明の免震エキスパンションジョイント装置５によれば、エキスパンションジョイントカバー６は、スライドレール部材８に沿って、免震クリアランス３の長手方向（Ｙ方向）に移動することができるから、エキスパンションジョイントカバー６のＹ方向への免震ストロークの範囲内に壁や柱等の障害物２ｃがあり、エキスパンションジョイントカバー６とこれらの障害物２ｃとが衝突しても、連結部７が破壊されるのを防止することができる。
【００１９】
また、地震発生時に、エキスパンションジョイントカバー６の自由端部６ｂが構造物２に形成された傾斜面２６に沿ってせり上がると、エキスパンションジョイントカバー６の連結端部６ａの端面６ｃがスイングレール部材９の凸状曲面９ｄに沿って滑らかに上方に転動する。これにより、エキスパンションジョイントカバー６の全体を上方向（Ｚ方向）に滑らかに傾動させることができる。
【００２０】
また、エキスパンションジョイントカバー６は連結装置７を介して構造物に強固に連結されているから、エキスパンションジョイントカバー６が構造物から外れることを防止することができる。
【００２１】
また、スライドレール部材８の上縁部８ｄを任意の形状に屈曲することができるから、これらの屈曲部８ｆ、８ｇの形状により、エキスパンションジョイントカバー６の連結端部６ａと構造物１の間の間隙や、スライドレール部材８とスイングレール部材９の間の間隙を容易に調整することができる。
【００２２】
更に、長尺のスライドレール部材８に長尺のスイングレール部材９を係合させることにより、連結装置７に高い連結強度を付与することができる。更に、連結装置７の構成部品を予め組み合わせてスライドレール組立品２１を用意しておけば、免震エキスパンションジョイント装置５の施工を更に容易にすることができる。
本発明のその他の特徴は、以下の実施例の説明から明らかになる。
【図面の簡単な説明】
【００２３】
【図１】図１（イ）は、免震構造物が免震クリアランスの幅方向（Ｘ方向）に移動するエキスパンションジョイントカバーと障害物との位置関係を表す平面図であり、図１（ロ）は、免震構造物が免震クリアランスの長手方向（Ｙ方向）に移動するエキスパンションジョイントカバーと障害物との位置関係を表す平面図である。（実施例１）
【図２】図２は、図１（ロ）のＡ―Ａ方向の矢視図であり、本発明の免震エキスパンションジョイント装置の設置状態の側面図である。（実施例１）
【図３】図３は、図２のＢ部分の拡大断面図である。（実施例１）
【図４】図４は、図２のエキスパンションジョイントカバーが上下方向（Ｚ方向）に回動したときのＢ部分の拡大断面図である。（実施例１）
【図５】図５（イ）は、本発明のスライドレール組立品を免震構造物に設置するときの施工手順を示す斜視図であり、図５（ロ）は、免震構造物に設置されたスライドレール組立品のスイングレール部材にエキスパンションジョイントカバーを連結するときの施工手順を示す斜視図である。（実施例１）
【図６】図６は、免震構造物がエキスパンションジョイントカバーに関して免震クリアランスの長手方向（Ｙ方向）に移動するときのスイングレール部材とスライドレール部材の位置関係を示す斜視図である。（実施例１）
【図７】図７は、本発明の免震エキスパンションジョイント装置の連結装置に厚いエキスパンションジョイントカバーを連結した実施態様を示し、この実施態様の連結端部付近の拡大断面図である。（実施例２）
【図８】図８は、本発明の免震エキスパンションジョイント装置の連結装置を免震クリアランスの側面（壁面）に設置した実施態様を示し、この実施態様のエキスパンションジョイントカバーの連結端部付近の拡大断面図である。（実施例２）
【図９】図９は、本発明の免震エキスパンションジョイント装置のスライドレール部材の上縁部にコ字状の屈曲部を形成した実施態様を示し、この実施態様のエキスパンションジョイントカバーの連結端部付近の拡大断面図である。（実施例３）
【図１０】図１０は、本発明の免震エキスパンションジョイント装置のスライドレール部材の上縁部に肩状の屈曲部を形成した実施態様を示し、この実施態様のエキスパンションジョイントカバーの連結端部付近の拡大断面図である。（実施例４）
【図１１】図１１は、本発明の免震エキスパンションジョイント装置のスライドレール部材の上縁部に肩状の屈曲部を形成した他の実施態様を示し、この実施態様のエキスパンションジョイントカバーの連結端部付近の拡大断面図である。（実施例４）
【図１２】図１２は、図１１の連結装置を免震クリアランスの側面（壁面）に設置した実施態様を示し、この実施態様のエキスパンションジョイントカバーの連結端部付近の拡大断面図である。（実施例４）
【発明を実施するための形態】
【００２４】
免震構造物の水平方向（Ｘ方向及びＹ方向）の移動を可能にする免震クリアランスにエキスパンションジョイントカバーを架け渡し、免震構造物を免震クリアランスによって隔てられた別の構造物に連続させる、免震エキスパンションジョイント装置である。
【実施例１】
【００２５】
図1乃至６は本発明の第一実施例を示す。免震構造物１と、免震構造物１の基礎構造等の免震構造物１から構造上分断された別の構造物２の間には、免震構造物１の水平方向への移動を可能にする免震クリアランス３が形成される。図１及び２に示すように、免震クリアランス３は免震構造物１の周囲に上部が開口した溝４を形成している。免震エキスパンションジョイント装置５はエキスパンションジョイントカバー６を有する。エキスパンションジョイントカバー６は、免震クリアランス３に架け渡されて、免震構造物１を別の構造物２に連続させる床材である。図１に示すように、エキスパンションジョイントカバー６は、免震クリアランス３によって形成された溝４を閉塞するように、免震クリアランス３の長手方向（Ｙ方向）に複数枚並設される。
【００２６】
図５に示すように、免震エキスパンションジョイント装置５は、免震構造物１にエキスパンションジョイントカバー６を連結するための連結装置７を有する。連結装置７は、スライドレール部材８、スイングレール部材９、アングル部材１０及び１１、締結ボルト１２及びナット１３、連結ボルト１４、及び、フラットバー１５を有する。フラットバー１５は金属製の平板で構成され、エキスパンションジョイントカバー６をかさ上げして、エキスパンションジョイントカバー６の上面６ａを免震構造物１の上面１ａに一致させるために使用される。アングル部材１０には、免震構造物１の躯体にコンクリートビス１６を打ち込むための孔（図示せず。）が形成され、アングル部材１１には、アンカーボルト挿通孔（図示せず。）を挟んでその両面に一対のナット１７及び１８が固定されている。ナット１７及び１８にはアンカーボルト１９が螺合し、アンカーボルト１９は免震構造物１の躯体に埋設されたアンカーボルト受具２０に締め付けられる。コンクリートビス１６及びアンカーボルト１９は必要な数だけ使用される。コンクリートビス１６を打ち込むためにアングル部材１０に形成される孔（図示せず。）及びアングル部材１１のアンカーボルト挿通孔（図示せず。）は、必要な数だけ形成され、これに伴い、ナット１７及び１８並びにアンカーボルト受具２０も必要数設置される。
【００２７】
連結装置７は、締結ボルト１２及びナット１３によってスライドレール部材８とアングル部材１０及び１１を締結し、スイングレール部材９に形成された長孔９ａに連結ボルト１４を挿通して、スイングレール部材９をスライドレール部材８に組み付け、更に、アングル部材１０にフラットバー１５を固定することにより、予め工場等で、図５（イ）に示すようなスライドレール組立品２１として組み立てておくことができる。免震構造物１には、免震クリアランス３に沿って、連結装置７の取付け部１ｂが形成され、連結装置７はコンクリートビス１６とアンカーボルト１９によってこの取付け部１ｂに固定される。次いで、図５（ロ）に示すように、免震構造物１の躯体上にモルタル２２を敷設し、その上に表面仕上げ材２３を施工し、表面仕上げ材２３とスライドレール部材８の間の間隙をシーリング材２４で密封する。
【００２８】
図２に示すように、免震クリアランス３によって免震構造物１から構造上分断された別の構造物２には、免震構造物１に形成された連結装置７の取付け部１ｂに対応する位置に、エキスパンションジョイントカバー６の架設部２ａが形成される。架設部２ａには、エキスパンションジョイントカバー６の厚さに応じて、モルタル等で台座２５が設けられ、台座２５の先端部には傾斜面２６が形成される。傾斜面２６は、台座２５の上面２５ａと構造体２の躯体の上面２ｂを滑らかに連結する。図１に示すように、構造物２には、構造物２に形成されたエキスパンションジョイントカバー６の架設部２ａに隣接して、壁や柱等の障害物２ｃが存在する場合がある。この場合、エキスパンションジョイントカバー６は、免震構造物１に固定された連結装置７と構造物２の台座２５の間に架設され、障害物２ｃに沿って延在するように配置することができる。
【００２９】
図１及び２に示すように、エキスパンションジョイントカバー６は、連結装置７を介して免震構造物１に連結される連結端部６ａと、構造物２に台座２５を介して支持される自由端部６ｂを有する。エキスパンションジョイントカバー６は、連結端部６ａをフラットバー１５に載置し、自由端部６ｂを台座２５に載置して、免震クリアランス３に架け渡される。このとき、図３に示すように、エキスパンションジョイントカバー６の連結端部６ａの端面６ｃは、スイングレール部材９に対向して位置し、図１に示すように、免震クリアランス３の長手方向（Ｙ方向）に延在する。エキスパンションジョイントカバー６の連結端部６ａのＹ方向の両端にはボルトボックス６ｄ、６ｄが形成され、ボルトボックス６ｄ、６ｄの上部の開口は、それぞれ、蓋体６ｅによって閉鎖される。蓋体６ｅは固定ボルト６ｆによって着脱可能に固定される。図５（ロ）に示すように、エキスパンションジョイントカバー６の連結端部６ａの端面６ｃには、ボルトボックス６ｄ、６ｄの内部にそれぞれ貫通する長孔６ｇ、６ｇが形成される。そして、図３に示すように、これらの長孔６ｇ、６ｇに連結装置７の連結ボルト１４を挿通し、連結ボルト１４にボルトボックス６ｄ、６ｄの内部からワッシャー板２７を挟んでダブルナット２８、２９を螺合し、これを締め付けることにより、エキスパンションジョイントカバー６を連結装置７に連結することができる。
【００３０】
図３に示すように、連結装置７のスライドレール部材８は、例えばステンレス鋼等の材料によって略チャンネル形状に形成され、スライドレール部材８はエキスパンションジョイントカバー６の連結端部６ａの端面６ｃに対向する開溝８ａを有する。開溝８ａはスライドレール部材８の長手方向に延在する。スライドレール部材８の下縁部８ｂには案内溝８ｃを形成する。案内溝８ｃはスライドレール部材８の長手方向に延在する。スイングレール部材９の下縁部９ｂは案内溝８ｃに摺動可能に係合する。スライドレール部材８の上縁部８ｄは、エキスパンションジョイントカバー６の連結端部６ａの端面６ｃに向かって屈曲され、更に、スイングレール部材９の前面に沿って下方に屈曲される。これにより、スライドレール部材８の上縁部８ｄに係合溝８ｅを形成する。係合溝８ｅはスライドレール部材８の長手方向に延在する。係合溝８ｅには、スイングレール部材９の上縁部９ｃを摺動可能に係合させる。
【００３１】
図３に示すように、スイングレール部材９は、例えばアルミニウム合金の押出し形材等によって形成することができる。スイングレール部材９の前面には、エキスパンションジョイントカバー６の連結端部６ａの端面６ｃに向かって突出し、かつ、上下方向に弧状に延在する、凸状曲面９ｄが形成されている。凸状曲面９ｄはスイングレール部材９の長手方向に延びる一条の畝部として形成することができる。また、凸状曲面９ｄは、スイングレール部材９の全長に亘って形成することができる。前述のように、スイングレール部材９には上下方向に延在する長孔９ａが形成されている。長孔９ａはスイングレール部材９の背面と凸状曲面９ｄとに開口を有する貫通孔である。スイングレール部材９の長孔９ａは、それぞれ、エキスパンションジョイントカバー６の連結端部６ｂの対応する長孔６ｇにその全部又は一部が重なるように、複数形成される。
【００３２】
図１及び２に示すように、エキスパンションジョイントカバー６の自由端部６ｂにはヒンジ軸３０を介して安全カバー３１が取り付けられている。安全カバー３１は、平常時には、図２に示すように、エキスパンションジョイントカバー６の上面６ｈを構造物２の上面２ｂに連続させている。エキスパンションジョイントカバー６は、構造物２に関して、図１（イ）中のＸ方向（溝４の幅が増減する方向）にも、図１（ロ）中のＹ方向（溝４の長手方向）にも摺動することができるように台座２５に載置されている。しかし、図１（イ）に示すように、エキスパンションジョイントカバー６、６…のうちの一枚が、構造物２の壁や柱等の障害物２ｃに隣接して設置されている場合には、エキスパンションジョイントカバー６は、構造物２に関してＸ方向に往復動することはできるが、Ｙ方向のうち障害物２ｃに向かう方向に移動することはできない。すなわち、免震構造物１が構造物２に関してＸ方向に参照番号１ｃの位置まで相対的に移動し、安全カバー３１の先端縁３１ａが震構造物２に関してＸ方向に参照番号３１ｂの位置まで相対的に移動するときには、エキスパンションジョイントカバー６と障害物２ｃとの衝突はないが、図１（ロ）に示すように、免震構造物１が構造物２に関してＹ方向に参照番号１ｄの位置まで相対的に移動するときは、エキスパンションジョイントカバー６が免震構造物１に関してＹ方向に移動しない限り、エキスパンションジョイントカバー６と障害物２ｃの衝突は避けられない。図６に示すように、本発明の免震エキスパンションジョイント装置５は、このような場合に、スイングレール部材９をスライドレール部材８に沿って摺動させることにより、エキスパンションジョイントカバー６を免震構造物１に関してＹ方向に移動させる。
【００３３】
本発明の免震エキスパンションジョイント装置５は、図１（イ）に示すように、エキスパンションジョイントカバー６が構造物２に関してＸ方向に移動し、その移動距離が所定の距離を超えると、エキスパンションジョイントカバー６の自由端部６ｂが構造物２の傾斜面２６に沿ってせり上がり、エキスパンションジョイントカバー６が図２のＺ方向（上方向）に回動する。このとき、エキスパンションジョイントカバー６の連結端部６ａの端面６ｃは、図４に示すように、端面６ｃを凸状曲面９ｄの中央部の上部に係合させて傾斜する。このように、エキスパンションジョイントカバー６の連結端部６ａの端面６ｃが、スイングレール部材９の凸状曲面９ｄに対して、回動し、摺動し、及び／又は傾斜する一連の動作を、傾動という用語で表すことにする。凸状曲面９ｄの形状は、エキスパンションジョイントカバー６の連結端部６ａの回動を阻害しないように、中央部が突出した滑らかな曲面によって構成されているから、エキスパンションジョイントカバー６の連結端部６ａの端面６ｃは、この凸状曲面９ｄに沿って、所要の角度まで滑らかに傾動することができる。以上は、エキスパンションジョイントカバー６の自由端部６ｂがＺ方向に上昇する場合であるが、自由端部６ｂが上昇した後に、傾斜面２６に沿って下降する場合にも、エキスパンションジョイントカバー６は凸状曲面９ｄに沿って滑らかに傾動することができる。
【００３４】
すなわち、スイングレール部材９の長孔９ａと、エキスパンションジョイントカバー６の連結端部６ａの端面６ｃに形成された長孔６ｇは、上下方向に延在する長孔によって構成される。スイングレール部材９の長孔９ａは、エキスパンションジョイントカバー６の自由端部６ｂがＺ方向に回動するときに、エキスパンションジョイントカバー６の連結端部６ａの端面６ｃがスイングレール部材９の凸状曲面９ｄに沿って上下方向に傾動することができるように、連結ボルト１４を上下方向に傾動可能に案内することができる形態でなければならない。また、エキスパンションジョイントカバー６の連結端部６ａの端面６ｃの長孔６ｇは、エキスパンションジョイントカバー６の自由端部６ｂがＺ方向に回動するときに、エキスパンションジョイントカバー６の連結端部６ａの端面６ｃがスイングレール部材９の凸状曲面９ｄに沿って上下方向に傾動することができるように、連結ボルト１４を上下方向に傾動可能に案内することができる形態でなければならない。これらの長孔９ａ、６ｇの形態は、長孔の長さ及び幅の寸法と、長孔の開口部を形成する位置とによって決定することができる。これらの長孔９ａ、６ｇの長さを異なる長さにすることもできる。
【００３５】
また、スイングレール部材９の長さを、エキスパンションジョイントカバー６の連結端部６ａの幅と略同じ長さにすることができる。この場合には、一本のスイングレール部材９に一枚のエキスパンションジョイントカバー６が連結される。また、スイングレール部材９の長さを、エキスパンションジョイントカバー６の連結端部６ａ側の幅の複数倍の長さにすることができる。この場合には、一本のスイングレール部材９に複数枚のエキスパンションジョイントカバー６を連結することができる。また、スイングレール部材９とエキスパンションジョイントカバー６を、複数の連結装置７によって連結することもできる。
【００３６】
なお、エキスパンションジョイントカバー６の自由端部６ｂが構造物２の傾斜面２６に沿ってせり上がるとき、エキスパンションジョイントカバー６が傾斜面２６から受ける反力の大きさや方向によっては、エキスパンションジョイントカバー６の連結端部６ａがフラットバー１５から浮き上がる場合がある。このような場合にも、その後、エキスパンションジョイントカバー６の連結端部６ａは自重によって下降し、フラットバー１５に支持される。
【実施例２】
【００３７】
図７は、第一実施例の連結装置７を使用して、第一実施例のエキスパンションジョイントカバー６よりも厚いエキスパンションジョイントカバー６０を設置した実施例を示す。この実施例では、スライドレール部材８の上縁部８ｄと厚いエキスパンションジョイントカバー６０の上面６ｈを一致させるため、連結装置７とアングル部材１０の間にスペーサ３２を介装した。スペーサ３２は袋ナット３４によってアングル部材１０、１１に固定されている。また、スイングレール部材９がスライドレール部材８に対して傾斜することを防止するため、スイングレール部材９の背面にネジ３３ａによってスペーサ３３を固定した。その余の構成は前述の第一実施例と同様である。なお、図７中、図１乃至６に使用された参照番号と同一の参照番号は同じ構成要素を示す。
【００３８】
図８は、第一実施例の連結装置７を使用して、第一実施例のエキスパンションジョイントカバー６よりも厚いエキスパンションジョイントカバー６０を免震構造物１の免震クリアランス３の側面（壁面）に設置した実施例を示す。この実施例では、形材３６が免震クリアランス３の側面（壁面）に固定され、連結装置７は、締結ボルト１２とナット１３によって、形材３６に直接固定されている。この実施例では、第一実施例のアングル部材１０、１１を使用しない。形材３６は、スタッドボルト３５に螺合したナット３５ａと、モルタル２２に埋め込まれた締結ボルト１２及びナット１３とによって、免震クリアランス３の側面（壁面）に固定されている。形材３６には棚部３６ａが形成され、連結装置７は、棚部３６ａの上にスペーサ３２を介して配置される。スペーサ３２は形材３６に固定される。連結装置７にエキスパンションジョイントカバー６０の連結端部６ａが連結されたとき、エキスパンションジョイントカバー６０の連結端部６ａは、形材３６の棚部３６ａによって支持されるから、連結装置７がエキスパンションジョイントカバー６０の連結端部６ａを支持する必要はない。その余の構成は前述の第一実施例と同様である。なお、図８中、図１乃至７に使用された参照番号と同一の参照番号は同じ構成要素を示す。
【実施例３】
【００３９】
図９は、図７の実施例のスライドレール部材８の上縁部８ｄを、エキスパンションジョイントカバー６の連結端部６ａの端面６ｃに向かって屈曲させ、更に、スイングレール部材９の背面に沿って下方に屈曲させることによって，スライドレール部材８の上縁部８ｄにコ字状の屈曲部８ｆを形成した実施例を示す。コ字状の屈曲部８ｆによってスライドレール部材８の上縁部８ｄとスイングレール部材９の背面の間の間隙を減少させることができる。また、スイングレール部材９の前面の上縁部９ｃとエキスパンションジョイントカバー６の連結端部６ａの端面６ｃとの間隙を可撓性のシーリング材３７で密封した。その余の構成は前述の第一実施例と同様である。図９中、図１乃至８に使用された参照番号と同一の参照番号は同じ構成要素を示す。
【実施例４】
【００４０】
図１０は、図７のスライドレール部材８の上縁部８ｄを、スイングレール部材９の背面に向かって屈曲させ、更に、スイングレール部材９の背面に沿って上方に屈曲させることによって、スライドレール部材８の上縁部８ｄに肩状の屈曲部８ｇを形成した実施例を示す。肩状の屈曲部８ｇによってスライドレール部材８の上縁部８ｄとスイングレール部材９の背面の間の間隙を減少させることができる。また、スイングレール部材９の前面の上縁部９ｃとエキスパンションジョイントカバー６の連結端部６ａの端面６ｃとの間隙を可撓性のシーリング材３７で密封した。更に、スイングレール部材９の前面の下端部９ｂにネジ３８ａによってスペーサ３８を固定し、このスペーサ３８と、スイングレール部材９の背面にネジ３３ａによって固定されたスペーサ３３とによって、案内溝８ｃの内部でのスイングレール部材９の姿勢を安定させることができる。その余の構成は前述の第一実施例と同様である。図１０中、図１乃至９に使用された参照番号と同一の参照番号は同じ構成要素を示す。
【００４１】
図１１は、図１０の実施例の連結装置７のスライドレール部材８の内部にスペーサ３９を固定し、スペーサ３９の頂部に形成した突条３９ａをスイングレール部材９の背面に形成した凹溝９ｅに摺動可能に係合させた実施例を示す。突条３９ａは免震クリアランス３の長手方向（Ｙ方向）に延在し、凹溝９ｅも免震クリアランス３の長手方向（Ｙ方向）に延在する。これにより、スイングレール部材９は、スイングレール部材９の長手方向に摺動可能になると共に、スイングレール部材９がエキスパンションジョイントカバー６０の連結端部６ａに向かって傾斜することを防止することができるから、スイングレール部材９はスライドレール部材８の案内溝８ｃに沿って安定した姿勢で摺動することができる。その余の構成は前述の第一実施例と同様である。図１１中、図１乃至１０に使用された参照番号と同一の参照番号は同じ構成要素を示す。
【００４２】
図１２は、形材４０をスタッドボルト３５とナット３５ａによって免震構造体１の免震クリアランス３の側面（壁面）に固定し、形材４０の棚部４０ａの上にスペーサ３２を介して図１１の連結装置７を配置した実施例を示す。この実施例の連結装置７は、締結ボルト１２とナット１３によってアンカー部材４１と共にアングル部材１０に固定され、モルタル２２によって免震構造体１の躯体に固定されている。エキスパンションジョイントカバー６０の連結端部６ａは形材４０によって支持されるから、この連結装置７に過大な荷重がかかることは防止される。また、アンカー部材４１をモルタル２２に埋設するから、アングル部材１０の固定力も増強される。その余の構成は前述の第一実施例と同様である。図１２中、図１乃至１１に使用された参照番号と同一の参照番号は同じ構成要素を示す。
【産業上の利用可能性】
【００４３】
本発明の免震エキスパンション装置は、エキスパンションジョイントカバーの免震クリアランスの長手方向（Ｙ方向）への移動範囲内に壁や柱等の障害物がある場合にも、エキスパンションジョイントカバーとこれらの障害物との衝突を防止することができる。免震構造物が免震クリアランスの幅方向（Ｘ方向）に相対移動してエキスパンションジョイントカバーが上下方向（Ｚ方向）に回動する場合にも、エキスパンションジョイントカバーを滑らかに傾動させることができる。本発明の免震エキスパンションジョイント装置は、免震構造物と非免震構造物の間に架設されるほか、免震構造物と免震構造物の間に架設することもできる。
【符号の説明】
【００４４】
１  免震構造物
２  別の構造物
３  免震クリアランス
４  溝
５  免震エキスパンションジョイント装置
６  エキスパンションジョイントカバー
６０  厚いエキスパンションジョイントカバー
６ａ  連結端部
６ｂ  自由端部
６ｃ  連結端部の端面
６ｄ  ボルトボックス
６ｅ  蓋体
６ｆ  固定ボルト
６ｇ  長孔
６ｈ  上面
７  連結装置
８  スライドレール部材
８ａ  開溝
８ｂ  下縁部
８ｃ  案内溝
８ｄ  上縁部
８ｅ  係合溝
８ｆ  コ字状の屈曲部
８ｇ  肩状の屈曲部
９  スイングレール部材
９ａ  長孔
９ｂ  下縁部
９ｃ  上縁部
９ｄ  凸状曲面
９ｅ  凹溝
１０、１１  アングル部材
１２  締結ボルト
１３  ナット
１４  連結ボルト
１５  フラットバー
２１  スライドレール組立品
２４  シーリング材
２５  台座
２６  傾斜面
２７  ワッシャー板
２８、２９  ダブルナット
３０  ヒンジ軸
３１  安全カバー
３６  形材
３６ａ  棚部
３７  可撓性のシーリング材
３９  スペーサ
３９ａ  突条
４０  形材
４０ａ  棚部
４１  アンカー部材
【図１】
2018141269.tif 000003
【図２】
2018141269.tif 000004
【図３】
2018141269.tif 000005
【図４】
2018141269.tif 000006
【図５】
2018141269.tif 000007
【図６】
2018141269.tif 000008
【図７】
2018141269.tif 000009
【図８】
2018141269.tif 000010
【図９】
2018141269.tif 000011
【図１０】
2018141269.tif 000012
【図１１】
2018141269.tif 000013
【図１２】
2018141269.tif 000014